(57)【要約】【課題】  電池の内部抵抗を低減させて、充放電の効率が向上して、急速な充放電が可能なリチウム二次電池を提供する。【解決手段】  リチウム二次電池は、各々、２枚の電極板から構成される第１電極板１１３ａ、１１３ｂと第２電極板１１５ａ、１１５ｂと、第１電極板と第２電極板１１５ａ、１１５ｂとの間に介在するセパレータと、第１電極板１１３ａ、１１３ｂ及び第２電極板１１５ａ、１１５ｂに各々接合される第１電極タブ１１６ａ、１１６ｂら及び第２電極タブ１１５ａ、１１５ｂと、を含み、第１電極板１１３ａ、１１３ｂ、第２電極板１１５ａ、１１５ｂ、及び前記セパレータが積層されて、ゼリーロール形態で巻かれることによって、電極組立体が形成される。【選択図】図３
2006156365.tif 000002
【特許請求の範囲】
【請求項１】
各々、２枚以上の電極板から構成される第１電極板と第２電極板と、
前記第１電極板と前記第２電極板との間に介在するセパレータと、
前記第１電極板及び前記第２電極板に各々接合される複数の第１電極タブ及び複数の第２電極タブと、を含み、
前記第１電極板、前記第２電極板、及び前記セパレータが積層されて、ゼリーロール形態で巻かれることによって、電極組立体が形成されることを特徴とするリチウム二次電池。
【請求項２】
前記電極組立体は、前記セパレータを介在させ、前記第１電極板及び前記第２電極板が交互に積層されて巻かれることによって形成されることを特徴とする請求項１に記載のリチウム二次電池。
【請求項３】
前記複数の第１電極タブは、互いに並列連結されていることを特徴とする請求項１に記載のリチウム二次電池。
【請求項４】
前記第１電極タブの連結部において、端子接続のための電極タブが引き出されることを特徴とする請求項３に記載のリチウム二次電池。
【請求項５】
前記端子接続のための電極タブは、前記第１電極タブの連結部に取り付けられることを特徴とする請求項４に記載のリチウム二次電池。
【請求項６】
前記複数の第２電極タブは、互いに並列連結されていることを特徴とする請求項１に記載のリチウム二次電池。
【請求項７】
前記第２電極タブの連結部において、端子接続のための電極タブが引き出されることを特徴とする請求項６に記載のリチウム二次電池。
【請求項８】
前記端子接続のための電極タブは、前記第２電極タブの連結部に取り付けられることを特徴とする請求項７に記載のリチウム二次電池。
【請求項９】
前記電極タブは、点熔接、レーザー熔接、または、超音波熔接により接続されることを特徴とする請求項１に記載のリチウム二次電池。
【請求項１０】
前記電極タブは、導電性接着剤が使用されて接続されることを特徴とする請求項１に記載のリチウム二次電池。
【請求項１１】
前記導電性接着剤は、銀、または、ニッケルペーストであることを特徴とする請求項１０に記載のリチウム二次電池。
【請求項１２】
前記電極タブは、ニッケル、ニッケル合金、アルミニウム、及びアルミニウム合金からなる群から選択される、少なくとも１つから形成されることを特徴とする請求項１に記載のリチウム二次電池。
【請求項１３】
前記第１電極板は、正極板であることを特徴とする請求項１に記載のリチウム二次電池。
【請求項１４】
前記第１電極板は、アルミニウム、または、アルミニウム合金から形成されることを特徴とする請求項１３に記載のリチウム二次電池。
【請求項１５】
前記第２電極板は、負極板であることを特徴とする請求項１に記載のリチウム二次電池。
【請求項１６】
前記第２電極板は、銅または銅合金から形成されることを特徴とする請求項１５に記載のリチウム二次電池。
【請求項１７】
前記第１電極板または前記第２電極板の長手方向の長さは、前記第１電極板または前記第２電極板を構成する電極板の枚数に基づいて、設定されることを特徴とする請求項１に記載のリチウム二次電池。
【発明の詳細な説明】
【技術分野】
【０００１】
本発明は、リチウム二次電池に関し、より詳細には、電池の内部抵抗を減少させて充放電効率が向上して、急速な充放電が可能なリチウム二次電池に関する。
【背景技術】
【０００２】
近年、携帯用電子機器の小型化及び軽量化が急速に進展することにつれて、これらの駆動電源として用いられる電池の小型化及び高容量化に対する必要性が増大している。特に、リチウム二次電池は、作動電圧が３．６Ｖ以上であって、携帯用電子機器の電源に頻繁に用いられているニッケル−カドミウム電池や、ニッケル−水素電池より３倍も高くて、単位重量当たりのエネルギー密度が高いという面において急速に伸張している趨勢である。
【０００３】
リチウム二次電池は、リチウムイオンが正極及び負極で挿入／脱離される際の酸化、還元反応により電気エネルギーを生成する。リチウム二次電池は、リチウムイオンの可逆的な挿入／脱離可能な物質を正極と負極の活物質として使用して、前記正極と前記負極との間に有機電解液、または、ポリマ電解液を充填して製造する。
【０００４】
従来より、リチウム二次電池の正極活物質としては、リチウムコバルト酸化物（ＬｉＣｏＯ２）、リチウムニッケル酸化物（ＬｉＮｉＯ２）、リチウムマンガン酸化物（ＬｉＭｎＯ２）などのリチウム含有金属酸化物が使用され、リチウム二次電池の負極活物質としては、リチウム金属、または、リチウム合金が使用されていたが、リチウム金属が使用される場合、デンドライトの形成による電池の短絡により爆発危険性があるため、近年では、リチウム金属の代わりに、非晶質炭素、または、結晶質炭素などの炭素系物質が使用されている。リチウム二次電池は、様々な形状で製造されているが、代表的な形状としては、円筒形、角形、及びパウチ形を挙げることができる。
【０００５】
図１は、従来のリチウム二次電池を示す分解斜視図である。
【０００６】
図１を参照すると、リチウム二次電池は、第１電極板１３、第２電極板１５、及びセパレータ１４からなる電極組立体１２を電解液と共に缶１０に受納した後、缶１０の上段部をキャップ組立体２０で封入することにより形成される。キャップ組立体２０は、缶１０の上部に結合されるキャッププレート４０と、キャッププレート４０の端子通孔４１に挿入される電極端子３０と、キャッププレート４０の下面側に設けられる絶縁プレート５０と、絶縁プレート５０の下面側に設けられて、電極端子３０と通電するターミナルプレート６０とを含んで構成される。キャップ組立体２０は、電極組立体１２の上部に設けられる絶縁ケース７０によって電極組立体１２と絶縁しながら缶１０の上段開口部に結合して缶１０を封入することになる。
【０００７】
キャッププレート４０の中央に形成されている端子通孔４１には電極端子３０が挿入される。電極端子３０が端子通孔４１に挿入される際には、電極端子３０とキャッププレート４０との絶縁のために電極端子３０の外面にチューブ型ガスケット３５が結合して電極端子３０と共に端子通孔４１に挿入される。キャップ組立体２０が缶１０の上段部に組み立てられた後、電解液注入孔４２を通じて電解液が注入されて、電解液注入孔４２は栓４３によって密閉される。
【０００８】
電極端子３０は、ターミナルプレート６０を通じて第２電極１５の第２電極タブ１７及び第１電極１３の第１電極タブ１６のうちの１つ、例えば、第２電極タブ１７と電気的に連結される。第１電極タブ１６及び第２電極タブ１７が電極組立体１２から引き出される部分には、電極１３、１５間の短絡を防止するために絶縁テープ１８が巻かれている。電極端子３０に電気的に連結されていない電極タブ、例えば、第１電極タブ１６はキャッププレート４０の下面に連結される。上記のように組み立てられたリチウム二次電池において、第１電極１３が正極を形成して、第２電極１５が負極を形成する場合、電極端子３０が負極として作用することになって、電極端子３０を除外したキャッププレート４０及び缶１０が正極として作用することになる。
【０００９】
図２を参照すると、電極組立体１２は、第１電極板１３、第２電極板１５、および第１電極板１３と第２電極板１５との間に介在するセパレータ１４が巻かれることによって形成される。第１電極板１３と第２電極板１５との少なくとも一方の面には、各々、電極活物質が塗布されるとともに、電極活物質が塗布されていない電極無地部に、各々、第１電極タブ１６と第２電極タブ１７とが結合する。
【００１０】
このようなリチウム二次電池において、電極組立体１２を形成する電極板１３、１５は、電極活物質を担持するだけでなく、電流が流れる通路として作用する。電極組立体１２は、電極板１３、１５間にセパレータ１４を介してゼリーロール型で巻かれることによって製造され、量産性及びコストの面において有利であるが、電極板の長手方向の抵抗を一定水準以下に抑えることが困難であるため、二次電池の内部抵抗の低減化に限界がある。
【発明の開示】
【発明が解決しようとする課題】
【００１１】
本発明は、前記従来技術が有する問題点を解決するためになされたものであって、本発明の目的は、電池の内部抵抗を低減させて、充放電の効率が向上して、急速な充放電が可能なリチウム二次電池を提供することにある。
【課題を解決するための手段】
【００１２】
前記の目的の達成のために、本発明のリチウム二次電池は、各々、２枚以上の電極板から構成される第１電極板と第２電極板と、前記第１電極板と前記第２電極板との間に介在するセパレータと、前記第１電極板及び第２電極板に各々接合される複数の第１電極タブ及び複数の第２電極タブと、を含み、前記第１電極板、第２電極板、及び前記セパレータが積層されて、ゼリーロール形態で巻かれることによって電極組立体が形成される。
【００１３】
また、前記電極組立体は、前記セパレータを介在させ、前記第１電極板及び前記第２電極板が交互に積層されて巻かれることによって形成され得る。
【００１４】
前記複数の第１電極タブは、互いに並列連結されることができて、また、前記第２電極タブも互いに並列連結されることができる。
【発明の効果】
【００１５】
本発明のリチウム二次電池において、各々電極タブが接合されるとともに、各々２枚以上の電極板から構成される第１電極板及び第２電極板を含む電極組立体が形成されることにより、電池の内部抵抗が減少され、充放電の効率が向上して、急速な充放電が可能になる。
【発明を実施するための最良の形態】
【００１６】
以下、添付の図面を参照しながら本発明の好ましい実施の形態を詳細に説明する。
【００１７】
図３は、本発明に係る電極組立体の一実施の形態を示す分解斜視図である。図４及び５は、本発明に係る電極組立体の他の実施の形態を示す分解斜視図である。
【００１８】
図３を参照すると、本発明の電極組立体は、各々、第１電極板１１３ａ、１１３ｂと第２電極板１１５ａ、１１５ｂと、第１電極板１１３ａ、１１３ｂと第２電極板１１５ａ、１１５ｂとの間に介在するセパレータ（図示していない）とが、ゼリーロール形態で巻かれることによって形成される。上記から明らかなように、本実施形態においては、第１電極板は、２枚の電極板（第１電極板１１３ａ、１１３ｂ）から構成され、第２電極板も同様に、２枚の電極板（第２電極板１１５ａ、１１５ｂ）から構成される。
【００１９】
好ましくは、前記電極組立体は、セパレータ（図示していない）を介在させながら、第１電極板１１３ａ、１１３ｂ及び第２電極板１１５ａ、１１５ｂが交互に積層された後、巻かれることによって形成される。
【００２０】
前記セパレータ（図示していない）は、第１電極板１１３ａ、１１３ｂと第２電極板１１５ａ、１１５ｂとを分離させることにより、短絡を防止して、リチウムイオンの移動通路を提供するためのものであって、例えば、ポリオレフィン、ポリエチレン、ポリプロピレンなどの高分子膜、または、これらの多重膜、微細多孔性フィルム、織布及び不織布などを用いることができる。
【００２１】
第１電極板１１３ａ、１１３ｂにおいて少なくとも一方の面には電極活物質１２２ａ、１２２ｂが塗布されており、前記電極活物質が塗布されていない第１電極板１１３ａ、１１３ｂの無地部に第１電極タブ１１６ａ、１１６ｂが各々接合される。
【００２２】
また、第２電極板１１５ａ、１１５ｂにおいて少なくとも一方の面に電極活物質１２０ａ、１２０ｂが塗布されており、前記電極活物質が塗布されていない第２電極板１１５ａ、１１５ｂの無地部に第２電極タブ１１７ａ、１１７ｂが各々接合される。
【００２３】
第１電極板１１３ａ、１１３ｂまたは第２電極板１１５ａ、１１５ｂは、正極板または負極板として作用し得る。
【００２４】
第１電極板１１３ａ、１１３ｂまたは第２電極板１１５ａ、１１５ｂが正極板として作用する場合、正極板としての第１電極板１１３ａ、１１３ｂまたは第２電極板１１５ａ、１１５ｂは、ステンレス鋼、ニッケル、アルミニウム、チタン、または、これらの合金などから形成されてもよく、また、アルミニウム、または、ステンレス鋼の表面にカーボン、ニッケル、チタン、銀を表面処理させることによって形成されてもよいが、通常、アルミニウムまたはアルミニウム合金から形成される。
【００２５】
第１電極板１１３ａ、１１３ｂまたは第２電極板１１５ａ、１１５ｂが負極板として作用する場合、前記負極板として作用する第１電極板１１３ａ、１１３ｂまたは第２電極板１１５ａ、１１５ｂは、ステンレス鋼、ニッケル、銅、チタン、または、これらの合金などから形成されてよく、また、銅、または、ステンレス鋼の表面にカーボン、ニッケル、チタン、銀を表面処理させることによって形成されてもよいが、通常、銅または銅合金から形成される。
【００２６】
第１電極板１１３ａ、１１３ｂまたは第２電極板１１５ａ、１１５ｂに塗布される電極活物質１２０ａ、１２０ｂまたは電極活物質１２２ａ、１２２ｂは、正極活物質、または負極活物質である。
【００２７】
前記正極活物質として、通常、リチウム含有遷移金属酸化物またはリチウムカルコゲナイド化合物の両方とも使用することができて、その代表的な例としては、ＬｉＣｏＯ２、ＬｉＮｉＯ２、ＬｉＭｎＯ２、ＬｉＭｎ２Ｏ４、または、ＬｉＮｉ１-ｘ-ｙＣｏｘＭｙＯ２（０＜ｘ＜１、０＜ｙ＜１、０＜ｘ+ｙ＜１、ＭはＡｌ、Ｓｒ、Ｍｇ、Ｌａなどの金属）などの金属酸化物を用いることができる。前記負極活物質として、結晶質炭素、非晶質炭素、炭素複合体、炭素繊維などの炭素材料、リチウム金属、リチウム合金などを用いることができる。
【００２８】
第１電極タブ１１６ａ、１１６ｂ及び第２電極タブ１１７ａ、１１７ｂは、各々、第１電極板１１３ａ、１１３ｂ及び第２電極板１１５ａ、１１５ｂの無地部に、点熔接、レーザー熔接、超音波熔接のような熔接や、導電性接着剤が用いられることによって、電気的に連結される。前記導電性接着剤としては、接着力の優れるエポキシ樹脂、アクリル樹脂、変性ウレタン樹脂などの合成樹脂と、合成ゴムに導電性の優れる銀、ニッケルなどの金属粉と、カーボンとを均一に混合分散させた導電性ペーストを用いることができる。
【００２９】
第１電極板１１３ａ、１１３ｂに各々接合している第１電極タブ１１６ａ、１１６ｂは、互いに並列連結され得て、第２電極板１１５ａ、１１５ｂに各々接合している第２電極タブ１１７ａ、１１７ｂも互いに並列連結され得る。
【００３０】
本発明に係る電極組立体のように、極性を異にする電極板を、各々、少なくとも２枚以上備えて、各電極板に電極タブを各々接合させて、これらを並列構造で連結することにより、各電極は、下記の数式１のような並列抵抗値を有することになるので、二次電池の内部抵抗が減少する。
【００３１】
【数１】
2006156365.tif 000003
【００３２】
前記式において、nは電極タブの個数を表す。
【００３３】
また、本発明において、第１電極板または第２電極板の長手方向の長さは、第１電極板または第２電極板を構成する電極板の枚数（２枚）に基づいて設定される。具体的には、電気抵抗は下記の数式２のように導体の長さに比例することから、本実施形態の電極組立体において、各々２枚の電極板から構成される正極板と負極板とが使用されることに基づき、同一容量である既存の正極板及び負極板に比べて、電極板の長手方向の長さは短く設定されている。以上のことから、本発明が適用される場合には、電極組立体を構成する電極板の長手方向の長さを減少させることができ、各電極板における電気抵抗を減少させることができる。
【００３４】
【数２】
2006156365.tif 000004
【００３５】
前記数式２において、Ｒは導体抵抗（Ω）、ρは抵抗率、Ｌは導体長さ（ｍ）、Ｓは断面積（ｍ２）を表す。
【００３６】
図３に示すように、第１電極板１１３ａ、１１３ｂに各々接合している第１電極タブ１１６ａ、１１６ｂが、導電性連結部１２４により互いに電気的に連結されることができて、連結部１２４に端子接続のための電極タブ１１６ｃを取り付けることによって、端子接続のための電極タブを引き出すことができる。さらに、導電性連結部１２４及び端子接続のための電極タブ１１６ｃも、点熔接、レーザー熔接、超音波熔接のような熔接や、導電性接着剤により通電可能に取り付けることができる。
【００３７】
また、第２電極板１１５ａ、１１５ｂに各々接合している第２電極タブ１１７ａ、１１７ｂも、別途の導電性連結部１２５により互いに電気的に連結されることができて、連結部１２５にも端子接続のための電極タブ１１７ｃを別途取り付けることによって、端子接続のための電極タブを引き出すことができる。
【００３８】
図４に示すように、別途の導電性連結部を前記電極タブに取り付ける代わりに、第１電極タブの中の１つ（図において第１電極タブ２１６ａ）を折り曲げて、他の第１電極タブ（図において第１電極タブ２１６ｂ）に熔接した後、端子接続のための別途の電極タブ２１６ｃを取り付けて、端子接続のための電極タブを引き出すことができる。また、第２電極タブの中の１つ（図において第２電極タブ２１７ａ）を折り曲げて、他の第２電極タブ（図において第２電極タブ２１７ｂ）に熔接した後、端子接続のための別途の電極タブ２１７ｃを取り付けて、端子接続のための電極タブを引き出すことができる。
【００３９】
図５に示すように、別途の導電性連結部を前記電極タブに取り付ける代わりに、第１電極タブ３１６ａ、３１６ｂの中の１つ（図において第１電極タブ３１６ａ）を折り曲げて他の第１電極タブ（図において第１電極タブ３１６ｂ）に熔接した後、熔接した第１電極タブ（図において第１電極タブ３１６ｂ）を端子接続のための電極タブとして引き出して使用することができる。また、第２電極タブの中の１つ（図において第２電極タブ３１７ａ）を折り曲げて、他の第２電極（図において第２電極タブ３１７ａ）に熔接した後、熔接された第１電極（図において第１電極タブ３１７ｂ）を端子接続のための電極タブとして引き出して使用することができる。この際、電極タブの熔接は、熔接された第１および第２電極タブ（図において第１電極タブ３１６ｂ、第２電極タブ３１７ｂ）が端子接続のための電極タブとして引き出されて使われるのに適した位置でなされることが好ましい。図５に図示された実施の形態では別途の導電性連結部と端子接続のための電極タブとが不要となるので作業工程がより簡素化され得る。
【００４０】
図６は、本発明の電極組立体を含むリチウム二次電池の分解斜視図である。
【００４１】
図６を参照すると、本発明のリチウム二次電池は、缶４１０と、缶４１０の内部に受容される電極組立体４１２と、缶４１０の上部に結合するキャップ組立体４２０とを含んで形成される。
【００４２】
缶４１０は、上部が開放された略角形の金属材で形成されて、好ましくは、軽くて、かつ軟性のある材料である、アルミニウム、アルミニウム合金、またはステンレス鋼などで形成され得るが、特に、その種類が限定されるものではない。缶４１０は、それ自体が端子の機能を発揮することが可能である。
【００４３】
電極組立体４１２は、第１電極板４１３ａ、４１３ｂと第２電極板４１５ａ、４１５ｂとセパレータ４１４ａ、４１４ｂとを含む。電極組立体４１２は、セパレータ４１４ａ、４１４ｂを介在させて、前記第１電極板４１３ａ、４１３ｂと第２電極板４１５ａ、４１５ｂとが交互に積層された後、ゼリーロール形態で巻かれることによって形成される。前記第１電極板４１３ａ、４１３ｂには、各々、第１電極タブ４１６ａ、４１６ｂが、第２電極板４１５ａ、４１５ｂには、各々、第２電極タブ４１７ａ、４１７ｂがレーザー熔接、超音波熔接、または抵抗熔接などの熔接や、導電性接着剤により通電可能に取り付けられる。第１電極タブの中の１つ（図において第１電極タブ４１６ａ）を折り曲げて、他の第１電極タブ（図において第１電極タブ４１６ｂ）に熔接した後、熔接された第１電極タブ（図において第１電極タブ４１６ｂ）を端子接続のための電極タブとして引き出して使用し、また、第２電極タブの中の１つ（図において第２電極タブ４１７ａ）を折り曲げて、他の第２電極タブ（図において第２電極タブ４１７ａ）に熔接した後、熔接された第２電極タブ（図において第２電極タブ４１７ｂ）を端子接続のための電極タブとして引き出して使用する。
【００４４】
第１電極板４１３ａ、４１３ｂ及び第２電極板４１５ａ、４１５ｂは、互いに極性を異にして、正極または負極として使用することができる。第１電極板４１３ａ、４１３ｂ及び第２電極板４１５ａ、４１５ｂの少なくとも一方の面には、電極活物質層、即ち、正極活物質層または負極活物質層が形成されている。電極活物質層は、電極活物質、バインダー、及び必要に応じて導電材を、溶媒に混合・分散させて得られた電極活物質スラリーを、第１電極板４１３ａ、４１３ｂ及び第２電極板４１５ａ、４１５ｂの少なくとも一方の面に塗布した後、乾燥・圧延して形成され得る。第１電極板４１３ａ、４１３ｂ、及び第２電極板４１５ａ、４１５ｂの極性によって、正極活物質層または負極活物質層が形成される。
【００４５】
セパレータ４１４ａ、４１４ｂは、第１電極板４１３ａ、４１３ｂ及び第２電極板４１５ａ、４１５ｂ間の短絡を防止して、リチウムイオンの移動通路を提供するものであって、ポリプロピレン、ポリエチレンなどのポリオレフィン系高分子膜、または、これらの多重膜、微細多孔性フィルム、織布及び不織布のような公知のものを使用することができる。
【００４６】
缶４１０の上部に結合するキャップ組立体４２０は、キャッププレート４４０と絶縁プレート４５０とターミナルプレート４６０と電極端子４３０とを有する。キャッププレート４４０は、缶４１０の上段開口部と対応する大きさと形状とを有する金属板で形成される。キャッププレート４４０の中央には、所定の大きさの端子通孔４４１が形成されて、キャッププレート４４０の一方の端部近傍には電解液注入孔４４２が形成されて、電解液注入孔４４２を通じて電解液が注入された後、電解液注入孔４４２は、栓４４３と結合されて密閉される。
【００４７】
端子通孔４４１には電極端子４３０が挿入されて、電極端子４３０の外面にはキャッププレート４４０との電気的絶縁のためのチューブ形状のガスケット４３５が設けられている。キャッププレート４４０の下面には絶縁プレート４５０が設けられており、絶縁プレート４５０の下面にはターミナルプレート４６０が配置されている。電極端子４３０の底面部は、絶縁プレート４５０を介在させた状態でターミナルプレート４６０と電気的に連結されている。
【００４８】
キャッププレート４４０の下面には、端子接続のための電極タブとして引き出された第１電極タブ４１６ｂが熔接されており、ターミナルプレート４６０には端子接続のための電極タブとして引き出された第２電極タブ４１７ｂが熔接されている。第１電極タブ４１６ａ、４１６ｂ及び第２電極タブ４１７ａ、４１７ｂは、ニッケル、ニッケル合金、アルミニウム及びアルミニウム合金から形成され得る。第１電極タブ４１６ａ、４１６ｂ及び第２電極タブ４１７ａ、４１７ｂが電極組立体４１２から露出する部分には、電極間の短絡防止のために絶縁テープ４１８が各々巻かれている。
【００４９】
電極組立体４１２の上部には、電極組立体４１２とキャップ組立体４２０とを電気的に絶縁させて、電極組立体４１２と第１電極タブ４１６ａ、４１６ｂと第２電極タブ４１７ａ、４１７ｂとの位置を固定させる絶縁ケース４７０が設けられている。絶縁ケース４７０には、また、端子接続のための第２電極タブ４１７ｂを引き出すことのできる通路を提供する電極タブ引出口４７７と、端子接続のための第１電極タブ４１６ｂを引き出すことのできる空間を提供する電極タブ引出溝４７９と、電解液注入孔４４２を通じて注入された電解液が電極組立体４１２内に円滑に染み込むことができるように通路を提供する電解液流入口４７８が形成されている。電極間の短絡防止のために、缶４１０と極性を異にする電極タブが電極タブ引出口４７７を通じて引き出されることが好ましい。絶縁ケース４７０は、絶縁性高分子樹脂から形成されることが好ましく、ポリプロピレンなどが使用され得る。
【００５０】
本発明は、上記の実施形態に限定されるものではなく、特許請求の範囲内において、種々改変することができる。
【００５１】
例えば、第１電極板または第２電極板を構成する電極板の枚数は、上記の実施形態において示した枚数に限られず、２枚以上の任意の枚数に設定され得る。また、第１電極板または第２電極板を構成する電極板の枚数が２枚よりも多い場合においても、第１電極板または第２電極板の長手方向の長さは、上記と同様、第１電極板または第２電極板を構成する電極板の枚数に基づいて設定され、当該電極板の枚数が増加するに従って、前記第１電極板または前記第２電極板の長手方向の長さは短くなるように設定される。
【図面の簡単な説明】
【００５２】
【図１】従来のリチウム二次電池を示す分解斜視図である。
【図２】従来のリチウム二次電池の電極組立体の分解斜視図である。
【図３】本発明に係る電極組立体の一実施の形態の分解斜視図である。
【図４】本発明に係る電極組立体の他の実施の形態の分解斜視図である。
【図５】本発明に係る電極組立体の他の実施の形態の分解斜視図である。
【図６】本発明の電極組立体を含むリチウム二次電池の分解斜視図である。
【符号の説明】
【００５３】
１０，４１０    缶、 
１２，４１２    電極組立体、 
１３，１１３ａ，１１３ｂ，４１３ａ，４１３ｂ    第１電極板、
１４，４１４ａ，４１４ｂ    セパレータ、
１５，１１５ａ，１１５ｂ，４１５ａ，４１５ｂ    第２電極板、
１６，１１６ａ，１１６ｂ，２１６ａ，２１６ｂ，３１６ａ，３１６ｂ，４１６ａ，４１６ｂ    第１電極タブ、
１７，１１７ａ，１１７ｂ，２１７ａ，２１７ｂ，３１７ａ，３１７ｂ，４１７ａ，４１７ｂ    第２電極タブ、
１８，４１８    絶縁テープ、
２０，４２０    キャップ組立体、
３０，４３０    電極端子、
３５，４３５    チューブ型ガスケット、
４０，４４０    キャッププレート、
４１，４４１    端子通孔、
４２，４４２    電解液注入孔、
４３，４４３    栓、
５０，４５０    絶縁プレート、
６０，４６０    ターミナルプレート。
【図１】
2006156365.tif 000005
【図２】
2006156365.tif 000006
【図３】
2006156365.tif 000007
【図４】
2006156365.tif 000008
【図５】
2006156365.tif 000009
【図６】
2006156365.tif 000010